(57)【要約】【課題】長さが異なるビーズのいずれを使用する場合でも安定した織り作業を行うのに適したビーズ織り機を提供する。【解決手段】左右に間隔を隔てた側板１Ａ，１Ｂと、縦糸の一端を固定する第１の糸固定シャフトおよび縦糸の他端を固定する第２の糸固定シャフトであって、左右の側板に各々の両端部が連結された、前方にある第１の糸固定シャフトおよび後方にある第２の糸固定シャフトと、縦糸の一端側中間部および他端側中間部を並列状に支持する第１および第２の糸支持シャフトであって、左右の側板に各々の両端部が連結された、前方にある第１の糸支持シャフトおよび後方にある第２の糸支持シャフト２Ａと、を備え、糸支持シャフト２Ａには、所定のピッチで並ぶ複数の溝部を有する糸支持部が周方向において異なる位置に複数設けられており、複数の糸支持部３２，３３のそれぞれにおける溝部３２２，３３２のピッチＰ１，Ｐ２が互いに異なる。【選択図】図６
2014118646.tif 000002
【特許請求の範囲】
【請求項１】
左右方向に所定の間隔を隔てて対向する左側板および右側板と、
複数本の縦糸の一端を固定するための第１の糸固定シャフトおよび複数本の縦糸の他端を固定するための第２の糸固定シャフトであって、上記左側板および右側板に各々の両端部が回動可能に連結された、前方に位置する第１の糸固定シャフトおよび後方に位置する第２の糸固定シャフトと、
複数本の縦糸の一端側中間部および他端側中間部を並列状に支持するための第１および第２の糸支持シャフトであって、上記左側板および右側板に各々の両端部が回動可能に連結された、前方に位置する第１の糸支持シャフトおよび後方に位置する第２の糸支持シャフトと、を備え、
上記各糸支持シャフトには、軸方向に所定のピッチで並ぶ複数の溝部を有する糸支持部が周方向において異なる位置に複数設けられており、これら複数の糸支持部のそれぞれにおける溝部のピッチが互いに異なることを特徴とする、ビーズ織り機。
【請求項２】
上記各溝部は、断面Ｖ字状とされている、請求項１に記載のビーズ織り機。
【請求項３】
上記各糸支持シャフトは、略円柱状の外周面を有し、
複数の上記糸支持部は、上記各糸支持シャフトの外周面から径方向外方に突出する、請求項２に記載のビーズ織り機。
【請求項４】
上記糸支持部は、上記各糸支持シャフトの一端側から他端側まで上記複数の溝部と交差するように形成された複数の貫通孔を有する、請求項３に記載のビーズ織り機。
【請求項５】
上記各糸支持シャフトには、上記径方向外方に突出し、縦糸を掛け止めるための糸掛け棒が着脱可能に設けられる、請求項１に記載のビーズ織り機。
【請求項６】
上記糸掛け棒は、上記各糸支持シャフトの上記周方向において複数の上記糸支持部どうしが隣接する相互間にそれぞれ設けられる、請求項５に記載のビーズ織り機。
【請求項７】
上記各糸支持シャフトの一端側において上記左側板および右側板のいずれか一方の外側に突出し、上記各糸支持シャフトとともに回動するねじ軸と、上記各糸支持シャフトの他端側において上記左側板および右側板のいずれか他方の外側に設けられ、上記各糸支持シャフトとともに回動する第１操作部と、上記ねじ軸に噛み合うねじ穴を有する第２操作部と、を含む操作手段を備える、請求項１ないし６のいずれかに記載のビーズ織り機。
【発明の詳細な説明】
【技術分野】
【０００１】
本発明は、ビーズが織り込まれたビーズ織物を作製するのに用いるビーズ織り機に関する。
【背景技術】
【０００２】
従来、ビーズが織り込まれたビーズ織物を作製するためのビーズ織り機が知られている（たとえば、特許文献１を参照）。特許文献１に記載されたビーズ織り機は、左右方向に間隔を隔てて対向する左右一対の側板と、左右の両側板に回動可能に連結され、前後方向に離間する一対の糸巻き棒（第１および第２の糸固定シャフト）と、両側板に回動可能に連結され、前後方向に離間する一対の螺旋ばね保持棒（第１および第２の糸支持シャフト）とを備えている。一方の糸固定シャフトは複数本の縦糸の一端を固定するものであり、他方の糸固定シャフトは複数本の縦糸の他端を固定するものである。一方の糸支持シャフトは複数本の縦糸の一端側中間部を並列状に支持するものであり、他方の糸支持シャフトは複数本の縦糸の他端側中間部を並列状に支持するものである。このような構成のビーズ織り機を用いると、同文献の図１に示されるように、各々が前後方向に延び、かつ左右に並ぶ複数本の縦糸に対して、ビーズに挿通した横糸を織ることにより、ビーズ織物を作製することができる。そして、特許文献１の明細書の段落０００９から理解されるように、ビーズ織物における各ビーズは、隣接する縦糸の間に挟まれている。
【０００３】
縦糸の全長が長いビーズ織物を作製する際には、まず、一方の糸固定シャフトに縦糸を巻き付けておく。次に、第１および第２の糸支持シャフトの間において横糸の織り作業を行い、織物部分を形成する（特許文献１の図２参照）。次いで、一方の糸固定シャフトを回動させて縦糸を繰り出しつつ、他方の糸固定シャフトを回動させて織物部分を巻き取る。そして、新たに繰り出された縦糸に横糸の織り作業を進める。このような作業を繰り返すことにより、長尺なビーズ織物を作製することができる。
【０００４】
一方、縦糸の全長が比較的に短いビーズ織物を作製する際には、特許文献１の図１に表れているように、各糸固定シャフトに縦糸を掛け止めるための糸止め棒が取り付けられる。糸止め棒を利用することにより、縦糸は、前後方向に延び、かつ左右に複数本が並ぶように掛け止められる。このような構成によれば、両糸支持シャフト間の長さの範囲において、ビーズ織物を作製することができる。
【０００５】
上記特許文献１に示されたビーズ織り機において、螺旋ばね保持棒（糸支持シャフト）には螺旋ばねが取り付けられている。同文献の図１〜図３に示されるように、螺旋ばねは、螺旋ばね保持棒の軸方向に沿って延びており、螺旋ばね保持棒の上方に臨む位置に配置される。複数本の縦糸を螺旋ばね保持棒によって支持させる際には、同文献の図１、図２に示されるように、これら複数本の縦糸は、螺旋ばねの内側に進入することによって間隔が規定されつつ、螺旋ばね保持棒に支持される。
【０００６】
ビーズ織物を構成するビーズについては、その長さ（隣接する縦糸に挟まれた面間寸法）が異なる複数種類のものが用意されている。ビーズ織物を作製する際には、たとえば、ビーズ織物の図案に応じて、長さが相対的に大きいビーズ、あるいは長さが相対的に小さいビーズなど、選択されたいずれかの長さのビーズが使用される。
【０００７】
しかしながら、上記従来のビーズ織り機を用いてビーズ織物を作製する際には、螺旋ばねによって規定される縦糸の間隔が一様である。このため、織り作業において、長さが異なる複数種類のビーズのいずれも縦糸の間に安定して挟むのが困難であった。すなわち、長さが大きいビーズを使用する場合、隣接する縦糸の間隔が相対的に狭くなり、ビーズを当該縦糸の間に無理に挟み込ませなければならない。一方、長さが小さいビーズを使用する場合には、隣接する縦糸の間隔が相対的に広くなり、当該糸の間に挟んだビーズが脱落したり、あるいは上手く挟めないといったことが生じ得た。
【先行技術文献】
【特許文献】
【０００８】
【特許文献１】実開平６−６４６９号公報
【発明の概要】
【発明が解決しようとする課題】
【０００９】
本発明は、このような事情のもとで考え出されたものであって、長さが異なるビーズのいずれを使用する場合においても、安定した織り作業を行うのに適したビーズ織り機を提供することを課題としている。
【課題を解決するための手段】
【００１０】
上記の課題を解決するため、本発明では、次の技術的手段を講じている。
【００１１】
本発明によって提供されるビーズ織り機は、左右方向に所定の間隔を隔てて対向する左側板および右側板と、複数本の縦糸の一端を固定するための第１の糸固定シャフトおよび複数本の縦糸の他端を固定するための第２の糸固定シャフトであって、上記左側板および右側板に各々の両端部が回動可能に連結された、前方に位置する第１の糸固定シャフトおよび後方に位置する第２の糸固定シャフトと、複数本の縦糸の一端側中間部および他端側中間部を並列状に支持するための第１および第２の糸支持シャフトであって、上記左側板および右側板に各々の両端部が回動可能に連結された、前方に位置する第１の糸支持シャフトおよび後方に位置する第２の糸支持シャフトと、を備え、上記各糸支持シャフトには、軸方向に所定のピッチで並ぶ複数の溝部を有する糸支持部が周方向において異なる位置に複数設けられており、これら複数の糸支持部のそれぞれにおける溝部のピッチが互いに異なることを特徴としている。
【００１２】
好ましい実施の形態においては、上記各溝部は、断面Ｖ字状とされている。
【００１３】
好ましい実施の形態においては、上記各糸支持シャフトは、略円柱状の外周面を有し、複数の上記糸支持部は、上記各糸支持シャフトの外周面から径方向外方に突出する。
【００１４】
好ましい実施の形態においては、上記糸支持部は、上記各糸支持シャフトの一端側から他端側まで上記複数の溝部と交差するように形成された複数の貫通孔を有する。
【００１５】
好ましい実施の形態においては、上記各糸支持シャフトには、上記径方向外方に突出し、縦糸を掛け止めるための糸掛け棒が着脱可能に設けられる。
【００１６】
好ましい実施の形態においては、上記糸掛け棒は、上記各糸支持シャフトの上記周方向において複数の上記糸支持部どうしが隣接する相互間にそれぞれ設けられる。
【００１７】
好ましい実施の形態においては、上記各糸支持シャフトの一端側において上記左側板および右側板のいずれか一方の外側に突出し、上記各糸支持シャフトとともに回動するねじ軸と、上記各糸支持シャフトの他端側において上記左側板および右側板のいずれか他方の外側に設けられ、上記各糸支持シャフトとともに回動する第１操作部と、上記ねじ軸に噛み合うねじ穴を有する第２操作部と、を含む操作手段を備える。
【００１８】
本発明のその他の特徴および利点は、添付図面を参照して以下に行う詳細な説明によって、より明らかとなろう。
【図面の簡単な説明】
【００１９】
【図１】本発明に係るビーズ織り機の一例を示す斜視図である。
【図２】図１に示すビーズ織り機の平面図である。
【図３】図１に示すビーズ織り機の正面図である。
【図４】図１に示すビーズ織り機の左側面図である。
【図５】図２のＶ−Ｖ線に沿う部分断面図である。
【図６】図２のＶＩ−ＶＩ線に沿う部分断面図である。
【図７】図５のＶＩＩ−ＶＩＩ線に沿う断面図である。
【図８】図５のＶＩＩＩ−ＶＩＩＩ線に沿う断面図である。
【図９】図５のＩＸ−ＩＸ線に沿う断面図である。
【図１０】図６のＸ−Ｘ線に沿う部分断面図である。
【図１１】左後方側板の内側を斜め下方から見た部分斜視図である。
【図１２】図４のＸＩＩ−ＸＩＩ線に沿う部分断面図である。
【図１３】糸固定シャフトに係る操作手段を説明するための図５と同様の断面図である。
【図１４】糸支持シャフトに係る操作手段を説明するための図６と同様の断面図である。
【図１５】長さ調節手段を説明するための図１２と同様の断面図である。
【図１６】ビーズ織り機の使用方法を説明するための全体平面図である。
【図１７】ビーズ織り機の使用方法を説明するための要部断面図である。
【図１８】ビーズの織り手順を説明するための斜視図である。
【図１９】ビーズ織り機の使用方法を説明するための全体平面図である。
【図２０】図１９のＸＸ−ＸＸ線に沿う断面図である。
【発明を実施するための形態】
【００２０】
以下、本発明の好ましい実施の形態について、図面を参照して具体的に説明する。
【００２１】
図１〜図４は、本発明に係るビーズ織り機の一実施形態を示している。図１および図２によく表われているように、本実施形態のビーズ織り機Ａは、左前方側板１Ｃおよび右前方側板１Ｄと、左後方側板１Ａおよび右後方側板１Ｂと、糸固定シャフト２Ｂ，２Ａと、糸支持シャフト３Ｂ，３Ａと、連結部４Ａ，４Ｂと、長さ調節手段５と、操作手段６，７とを備えており、ビーズが織り込まれたビーズ織物を作製するために用いるものである。
【００２２】
左前方側板１Ｃおよび右前方側板１Ｄは、左右方向に所定の間隔を隔てて対向している。左後方側板１Ａおよび右後方側板１Ｂは、左前方側板１Ｃおよび右前方側板１Ｄそれぞれに対応してそれらの後方に位置し、左右方向に所定の間隔を隔てて対向している。
【００２３】
糸固定シャフト２Ｂは、複数本の縦糸の一端を固定するものであり、両端部が両前方側板１Ｃ，１Ｄに連結されている。糸固定シャフト２Ａは、複数本の縦糸の他端を固定するものであり、両端部が両後方側板１Ａ，１Ｂに連結されている。糸固定シャフト２Ｂは前方に位置し、糸固定シャフト２Ａは後方に位置する。
【００２４】
糸支持シャフト３Ｂは、複数本の縦糸の一端側中間部を並列状に支持するものであり、両端部が両前方側板１Ｃ，１Ｄに連結されている。糸支持シャフト３Ａは、複数本の縦糸の他端側中間部を並列状に支持するものであり、両端部が両後方側板１Ａ，１Ｂに連結されている。これら糸支持シャフト３Ｂ，３Ａは、糸固定シャフト２Ｂ，２Ａよりも上位にあり、前後方向において糸固定シャフト２Ｂ，２Ａの間に位置する。
【００２５】
連結部４Ａは、左前方側板１Ｃと左後方側板１Ａとを連結するものであり、連結部４Ｂは、右前方側板１Ｄと右後方側板１Ｂとを連結するものである。
【００２６】
次に、糸固定シャフト２Ａの構造および両後方側板１Ａ，１Ｂに対する糸固定シャフト２Ａの連結構造について説明する。なお、糸固定シャフト２Ｂの構造および両前方側板１Ｃ，１Ｄに対する糸固定シャフト２Ｂの連結構造は、糸固定シャフト２Ａの場合と同様であるので、主に糸固定シャフト２Ａについて説明し、糸固定シャフト２Ｂについては適宜説明を省略する。
【００２７】
図５に表れているように、糸固定シャフト２Ａの両端部には、円筒状の回動軸２１１，２１２が設けられている。回動軸２１１，２１２は、両後方側板１Ａ，１Ｂに形成された孔１１，１１に挿入されている。これにより、糸固定シャフト２Ａは、両後方側板１Ａ，１Ｂに回動可能に支持されている。また、糸固定シャフト２Ａの左後方側板１Ａ側において、回動軸２１１よりも軸方向外側にシャフト端部２１３が設けられている。シャフト端部２１３は、断面多角形状（たとえば六角形状）である（図７参照）。糸固定シャフト２Ａが両後方側板１Ａ，１Ｂに連結された状態において、シャフト端部２１３は、左後方側板１Ａの外側に突出している。糸固定シャフト２Ａは、両端部を結ぶ軸方向に貫通する軸孔２１４を有している。なお、糸固定シャフト２Ａの外周面には、軸方向に延びる縦糸固定用の一対の凹部２１５が設けられている。
【００２８】
糸固定シャフト２Ａの軸孔２１４には、軸部材２５が挿通されている。軸部材２５は、先端にねじ軸２５１が設けられた丸棒状とされている。軸部材２５の基端には、断面多角形状（たとえば六角形状）の軸部材端部２５２が設けられている（図８参照）。図５に表れているように、軸部材端部２５２には、操作部２６が装着されている。操作部２６は、左後方側板１Ａの外側に設けられている。操作部２６には、凹部２６１，２６２が形成されている。凹部２６１は、軸部材端部２５２に対応する断面形状を有し、凹部２６１に軸部材端部２５１が嵌入されている。これにより、操作部２６と軸部材２５とは相対回転不能である。凹部２６２にはシャフト端部２１３が嵌入されている。これにより、操作部２６と糸固定シャフト２Ａとは相対回転不能である。このようなことから理解されるように、糸固定シャフト２Ａ、軸部材２５、および操作部２６は、互いに相対回転不能である。したがって、操作部２６を回すと、糸固定シャフト２Ａおよび軸部材２５（ねじ軸２５１）は、操作部２６とともに回動する。
【００２９】
図５に表れているように、軸部材２５のねじ軸２５１には、操作部２７が装着されている。操作部２７には凹部２７１が形成されており、この凹部２７１にねじ穴２８１を有するナット２８が嵌入されている。ねじ穴２８１はねじ軸２５１に噛み合っている。このような構造により、ねじ軸２５１を締め付ける方向に操作部２７（ナット２８）を回すと、操作部２６，２７の間隔が狭まり、両後方側板１Ａ，１Ｂを介して操作部２６，２７に挟まれた糸固定シャフト２Ａは、回動が阻止される。一方、ねじ軸２５１を緩める方向に操作部２７（ナット２８）を回すと、図１３に表れているように、操作部２６，２７の間隔が広がり、糸固定シャフト２Ａの回動が許容される。
【００３０】
糸固定シャフト２Ｂについては、詳細な図示説明は省略するが、シャフト端部２１３は右前方側板１Ｄから外側に延びており、右前方側板１Ｄの外側に操作部２６が設けられる。また、左前方側板１Ｃの外側に、ねじ軸２５１に噛み合うねじ穴２８１を有する操作部２７が設けられる。
【００３１】
上記構成の糸固定シャフト２Ａ，２Ｂは、たとえば、ポリアセタール樹脂などの合成樹脂からなり、径方向に分割された２つの部材が一体的に接合されたものである。
【００３２】
操作手段６は、糸固定シャフト２Ａ，２Ｂを回動させるためのものであり、上記した軸部材２５、操作部２６，２７を備えて構成される。
【００３３】
次に、糸支持シャフト３Ａの構造および両後方側板１Ａ，１Ｂに対する糸支持シャフト３Ａの連結構造について説明する。なお、糸支持シャフト３Ｂの構造および両前方側板１Ｃ，１Ｄに対する糸支持シャフト３Ｂの連結構造は、糸支持シャフト３Ａの場合と同様であるので、主に糸支持シャフト３Ａについて説明し、糸支持シャフト３Ｂについては適宜説明を省略する。
【００３４】
図６に表れているように、糸支持シャフト３Ａの両端部には、円筒状の回動軸３１１，３１２が設けられている。回動軸３１１，３１２は、両後方側板１Ａ，１Ｂに形成された孔１２，１２に挿入されている。これにより、糸支持シャフト３Ａは、両後方側板１Ａ、１Ｂに回動可能に支持されている。また、糸支持シャフト３Ａの左後方側板１Ａ側において、回動軸３１１よりも軸方向外側にシャフト端部３１３が設けられている。シャフト端部３１３は、糸固定シャフト２Ａの場合と同様に断面多角形状（たとえば六角形状）とされている。糸支持シャフト３Ａが両後方側板１Ａ，１Ｂに連結された状態において、シャフト端部３１３は、左後方側板１Ａの外側に突出している。糸支持シャフト３Ａは、両端部を結ぶ軸方向に貫通する軸孔３１４を有している。
【００３５】
糸支持シャフト３Ａの軸孔３１４には、軸部材３５が挿通されている。軸部材３５は、先端にねじ軸３５１が設けられた丸棒状とされている。軸部材３５の基端には、糸固定シャフト２Ａの場合と同様に断面多角形状（たとえば六角形状）の軸部材端部３５２が設けられている。軸部材端部３５２には、操作部３６が装着されている。操作部３６は、左後方側板１Ａの外側に設けられている。操作部３６には、凹部３６１，３６２が形成されている。凹部３６１は、軸部材端部３５２に対応する断面形状を有し、凹部３６１に軸部材端部３５２が嵌入されている。これにより、操作部３６と軸部材３５とは相対回転不能である。凹部３６２にはシャフト端部３１３が嵌入されている。これにより、操作部３６と糸支持シャフト３Ａとは相対回転不能である。このようなことから理解されるように、糸支持シャフト３Ａ、軸部材３５、および操作部３６は、互いに相対回転不能である。したがって、操作部３６を回すと、糸支持シャフト３Ａおよび軸部材３５（ねじ軸３５１）は、操作部３６とともに回動する。
【００３６】
図６に表れているように、軸部材３５のねじ軸３５１には、操作部３７が装着されている。操作部３７には凹部３７１が形成されており、この凹部３７１にねじ穴３８１を有するナット３８が嵌入されている。ねじ穴３８１はねじ軸３５１に噛み合っている。このような構造により、ねじ軸３５１を締め付ける方向に操作部３７（ナット３８）を回すと、操作部３６，３７の間隔が狭まり、両後方側板１Ａ，１Ｂを介して操作部３６，３７に挟まれた糸支持シャフト３Ａは、回動が阻止される。一方、ねじ軸３５１を緩める方向に操作部３７（ナット３８）を回すと、図１４に表れているように、操作部３６，３７の間隔が広がり、糸支持シャフト３Ａの回動が許容される。
【００３７】
糸支持シャフト３Ａの外周には、縦糸を支持するための複数（本実施形態では２つ）の糸支持部３２，３３が設けられている。糸支持部３２，３３は、糸支持シャフト３Ａの周方向において互いに異なる位置にあり、当該周方向において均等に配置されている。
【００３８】
図１〜図３に表れているように、糸支持シャフト３Ａは、略円柱状の外周面３１０を有しており、糸支持部３２，３３は、外周面３１０から径方向外方に突出している。図６に表れているように、糸支持部３２は、糸支持シャフト３Ａの軸方向において複数の凸部３２１が並んだ櫛歯状とされており、隣接する凸部３２１間に複数の溝部３２２が並列状に形成される。糸支持部３３もまた、軸方向において複数の凸部３３１が並んだ櫛歯状とされており、隣接する凸部３３１間に複数の溝部３３２が並列状に形成される。溝部３２２，３３２は、それぞれ軸方向に所定のピッチで並んでいる。溝部３２２のピッチＰ１と溝部３３２のピッチＰ２とは、互いに異ならせられている。本実施形態では、ピッチＰ２はピッチＰ１よりも大である。ピッチＰ１，Ｐ２は、たとえば、いずれも約１〜５ｍｍの範囲で設定される。
【００３９】
図６に表れているように、溝部３２２，３３２は、断面Ｖ字状とされている。糸支持部３２，３３において、各凸部３２１，３３１には糸支持シャフト３Ａの軸方向に貫通する貫通孔３２３，３３３が形成されている。糸支持部３２の複数の貫通孔３２３は、糸支持シャフト３Ａの一端側から他端側まで複数の溝部３２２と交差している。これと同様に、糸支持部３３の複数の貫通孔３３３は、糸支持シャフト３Ａの一端側から他端側まで複数の溝部３３２と交差している。
【００４０】
図３に表れているように、糸支持シャフト３Ａの外周面３１０には、糸支持部３２，３３に対応して目盛３２４，３３４が設けられている。目盛３２４，３３４は、所定数ごとの溝部３２２，３３２に対応して形成されている。
【００４１】
糸支持シャフト３Ａの外周面３１０にはまた、後述する糸掛け棒３４を取り付けるための取付穴３４１が形成されている。取付穴３４１は、糸支持シャフト３Ａの周方向において異なる位置に設けられている。図１０に表れているように、取付穴３４１は、糸支持シャフト３Ａの周方向において糸支持部３２，３３どうしが隣接する相互間それぞれに、軸方向に沿って複数並んでいる。したがって、糸掛け棒３４は、糸支持部３２，３３どうしが隣接する相互間それぞれに着脱可能に設けることができる。
【００４２】
糸支持シャフト３Ｂについては、詳細な図示説明は省略するが、シャフト端部３１３は右前方側板１Ｄから外側に延びており、右前方側板１Ｄの外側に操作部３６が設けられる。また、左前方側板１Ｃの外側に、ねじ軸３５１に噛み合うねじ穴３８１を有する操作部３７が設けられる。糸支持シャフト３Ｂには、糸支持シャフト３Ａと同様に、糸支持部３２，３３、目盛３２４，３３４、取付穴３４１が設けられている。これら要素については図面に同一の符号を付し、説明を省略する。
【００４３】
上記構成の糸支持シャフト３Ａ，３Ｂは、たとえば、ポリアセタール樹脂などの合成樹脂からなり、径方向に分割された２つの部材が一体的に接合されたものである。
【００４４】
操作手段７は、糸支持シャフト３Ａ，３Ｂを回動させるためのものであり、上記した軸部材３５、操作部３６，３７を備えて構成される。
【００４５】
次に、連結部４Ａと左後方側板１Ａ、左前方側板１Ｃとの連結構造、および連結部４Ｂと右後方側板１Ｂ、右前方側板１Ｄとの連結構造について説明する。なお、連結部４Ａと左前方側板１Ｃとの連結構造、および連結部４Ｂと右後方側板１Ｂ、右前方側板１Ｄとの連結構造は、連結部４Ａと左後方側板１Ａとの連結構造と同様であるので、主に連結部４Ａと左後方側板１Ａとの連結構造について説明し、他の連結構造については適宜説明を省略する。
【００４６】
図５、図６、図１１に表れているように、左後方側板１Ａは、レール状の凹溝１３と、複数の溝部１４と、長孔１５とを有する。凹溝１３は、左後方側板１Ａの左右方向における内側において前後方向に延びている。複数の溝部１４は、凹溝１３の底部に形成されており、各々が断面Ｖ字状とされ、かつ前後に連続している。溝部１４は、前後方向に所定のピッチＰ３で並んでいる。溝部１４のピッチＰ３の一例を挙げると、約１ｃｍである。長孔１５は、左右方向に貫通し、かつ前後方向に延びており、複数の溝部１４が形成された領域に部分的に設けられている。
【００４７】
図１、図２、図５、図１２に表れているように、連結部４Ａは、前後方向に延びており、断面長矩形状の平板状である。連結部４Ａは、左後方側板１Ａの凹溝１３に収容されており、この収容された状態にて、左後方側板１Ａに対して前後に相対移動可能である。連結部４Ａの左右方向における外側には、複数の突起部４１１が前後方向に所定の間隔を隔てて設けられている。突起部４１１は、断面Ｖ字状とされており、左後方側板１Ａの各溝部１４に嵌合可能である。
【００４８】
連結部４Ａには、左右方向の外側に開放するねじ孔４１２が設けられている。本実施形態では、ねじ孔４１２は、突起部４１１が形成された領域にそれぞれ設けられている。たとえば、連結部４Ａには、突起部４１１の中央において左右に貫通する孔４１３が形成されており、ねじ孔４１２は、当該ねじ孔４１２を有するナットを突起部４１１の内側から嵌め込むことにより構成される。図５、図１２に表れているように、ねじ孔４１２は、長孔１５に臨んでおり、ねじ孔４１２には、左右方向における外側から長孔１５を通じて締付ボルト４３がねじ込まれる。
【００４９】
図４によく表れているように、左後方側板１Ａの外側面には、各溝部１４に対応する位置に目印１６が施されている。目印１６は、溝部１４のピッチＰ３と同一のピッチで並んでいる。また、図１、図２、図４に表れているように、連結部４Ａの上面には、突起部４１１を基準として凹みによる標線４１４が形成されている。標線４１４は、溝部１４のピッチＰ３と同一のピッチで並んでいる。
【００５０】
上記構成において、締付ボルト４３をねじ孔４１２から緩めると、左後方側板１Ａに対して連結部４Ａが左右方向内方に変位する。そして、図１３、図１５に表れているように、連結部４Ａの突起部４１１と左後方側板１Ａの溝部１４との嵌合が解除され、左後方側板１Ａは、連結部４Ａに対して前後動可能となる。ここで、左後方側板１Ａは、図１５から理解されるように、締付ボルト４３が通された長孔１５の前後長さの範囲で前後移動することができる。
【００５１】
一方、締付ボルト４３をねじ孔４１２に締付けると、溝部１４に突起部４１１が嵌合し、連結部４Ａと左後方側板１Ａとの前後移動が阻止される。ここで、溝部１４は前後に所定のピッチＰ３で連続して並んでいるため、各溝部１４に突起部４１１を嵌合させることにより、連結部４Ａと左後方側板１Ａとの相対位置は、ピッチＰ３ごとに段階的に変更させられる。したがって、図２、図１５から理解されるように、左前方側板１Ｃの後方端から左後方側板１Ａの前方端までの長さを段階的に調節することができる。
【００５２】
左前方側板１Ｃ、右後方側板１Ｂ、および右前方側板１Ｄには、それぞれ、左後方側板１Ａと同様に、凹溝１３、複数の溝部１４、長孔１５、目印１６が設けられている。これら要素については図面に同一の符号を付し、説明を省略する。
【００５３】
連結部４Ａにおいて、図４に表れているように、前方寄りに３つの突起部４１１が前後に所定間隔を隔てて設けられている。これら３つの突起部４１１は、左前方側板１Ｃとの連結に用いられる。当該連結に用いる突起部４１１を変更することにより、連結部４Ａと左前方側板１Ｃとの相対位置は、ピッチＰ３ごとにより多段階で変更させることができる。
【００５４】
連結部４Ｂには、連結部４Ａと同様に、突起部４１１、ねじ孔４１２、孔４１３が設けられている。これら要素については図面に同一の符号を付し、説明を省略する。
【００５５】
上記構成から理解されるように、両連結部４Ａ，４Ｂと両後方側板１Ａ，１Ｂとの相対位置は、ピッチＰ３ごとに段階的に変更させることができる。また、両連結部４Ａ，４Ｂと両前方側板１Ｃ，１Ｄとの相対位置もまた、ピッチＰ３ごとに段階的に変更させることができる。そして、両前方側板１Ｃ，１Ｄの後方端から両後方側板１Ａ，１Ｂの前方端までの長さを段階的に調節することができる。
【００５６】
各連結部４Ａ，４Ｂに設けられた突起部４１１、ねじ孔４１２、および、各側板１Ａ，１Ｂ，１Ｃ，１Ｄに設けられた複数の溝部１４、長孔１５は、長さ調節手段５を構成するものである。
【００５７】
次に、ビーズ織り機Ａを使用してビーズ織り作業を行う方法について、図１６〜図１９を参照して説明する。
【００５８】
縦糸の全長が比較的に短いビーズ織物を作製する場合について説明する。この場合、まず、糸支持シャフト３Ｂ，３Ａの取付穴３４１に糸掛け棒３４を取り付ける。次いで、たとえば糸支持シャフト３Ｂの糸掛け棒３４に糸の一端を固定し、当該糸を前後に延ばしつつ糸支持シャフト３Ｂ，３Ａの溝部３２２に嵌める。次いで、糸支持シャフト３Ａの糸掛け棒３４に糸を掛け回し、当該糸を前後に延ばしつつ既に糸が嵌められた溝部３２２に隣接する溝部３２２に嵌める。この作業を繰り返し、縦糸Ｔ１の他端を糸掛け棒３４に固定する。このようにして、図１６に表れているように、複数本の縦糸Ｔ１が糸支持シャフト３Ｂ，３Ａによって左右に並列状に支持される。なお、本実施形態では、複数の糸掛け棒３４が糸支持シャフト３Ｂ，３Ａの軸方向（左右方向）に沿って並んでおり、糸支持シャフト３Ｂ，３Ａに支持される縦糸Ｔ１は、糸掛け棒３４に対応する複数の領域に分かれている。
【００５９】
次いで、図１７に表れているように、糸支持部３２のすべての貫通孔３２３に棒状のストッパ３９を挿入する。
【００６０】
次いで、針先からビーズに挿通した横糸を縦糸に織り込む。ここでは、図１８（ａ）に表れているように、まず、横糸Ｔ２を、縦糸Ｔ１を横切るように下側から持ち上げ、各ビーズＢを隣接する縦糸Ｔ１の間に挟む。次に、図１８（ｂ）に表れているように、横糸Ｔ２を、左右方向一端にある縦糸Ｔ１で折り返し、縦糸Ｔ１の上側を通るようにビーズＢの孔に通す。このようにして、各ビーズＢには横糸Ｔ２が２本通され、２本の横糸Ｔ２で縦糸Ｔ１が上下に挟まれた状態となる。次いで、針先からビーズに横糸を挿通し、この横糸を左右方向他端に位置する縦糸で再び折り返す。次いで、横糸を、縦糸を横切るように下側から持ち上げ、各ビーズを隣接する縦糸の間に挟む。このような操作を所定回数繰り返すことにより、縦糸Ｔ１が延びる方向（前後方向）に所定長さを有するビーズ織物が作製される。
【００６１】
次いで、ストッパ３９を貫通孔３２３から抜き、糸支持シャフト３Ｂ，３Ａを少し回動させて、糸掛け棒３４から縦糸Ｔ１を外し、ビーズ織物をビーズ織り機Ａから取り外す。そして、縦糸Ｔ１の両端部を引き出すことにより、糸掛け棒３４に掛け回されていた部分がビーズ内に通り、完成状態となる。
【００６２】
次に、縦糸の全長が長いビーズ織物を作製する場合について図１９を参照して説明する。この場合、まず、糸固定シャフト２Ｂに複数本の縦糸Ｔ１の一端を固定する。ここで、縦糸Ｔ１を、糸固定シャフト２Ｂの一対の凹部２１５を跨ぐように配置させる。次いで、糸固定具２９を糸固定シャフト２Ｂに装着する。図２０に表れているように、糸固定具２９は、たとえば断面略半円状とされており、糸固定シャフト２Ｂの軸方向に沿って一様に延びている。糸固定具２９の両側端部には、互いに向かい合う方向に膨出した一対の係合部２９１が設けられている。糸固定具２９の装着は、一対の係合部２９１間の寸法が大となるように糸固定具２９を弾性変形させ、係合部２９１を凹部２１５に係合させることにより行う。糸固定具２９を装着すると、縦糸Ｔ１は、糸固定シャフト２Ｂと糸固定具２９の間に挟まれることにより、固定される。次いで、糸固定シャフト２Ｂを回動させて縦糸を巻き付ける。次いで、縦糸Ｔ１を後方に延ばしつつ糸支持シャフト３Ｂ，３Ａの溝部３２２に嵌める。次いで、縦糸Ｔ１の他端を糸固定シャフト２Ａに固定する。糸固定シャフト２Ａへの縦糸Ｔ１の固定は、上記した糸固定シャフト２Ｂへの縦糸Ｔ１の固定と同様に行う。このようにして、図１９に表れているように、複数本の縦糸Ｔ１が糸支持シャフト３Ｂ，３Ａによって左右に並列状に支持される。
【００６３】
次いで、図１７に示すように、糸支持部３２のすべての貫通孔３２３に棒状のストッパ２９を挿入する。
【００６４】
次に、ビーズに挿通した横糸の織り作業を行う。ここでの織り作業は、図１８を参照して上述したのと同様の方法で行う。横糸の織り作業を進め、糸支持シャフト３Ｂ，３Ａの間において織物部分を形成する。次いで、糸固定シャフト２Ｂを回動させて縦糸を繰り出しつつ、糸固定シャフト２Ａを回動させて織物部分を当該糸固定シャフト２Ａに巻き取る。そして、新たに繰り出された縦糸に横糸の織り作業を進める。このような作業を繰り返すことにより、長尺なビーズ織物を作製することができる。
【００６５】
次に、ビーズ織り機Ａの作用について説明する。
【００６６】
本実施形態のビーズ織り機Ａにおいて、糸支持シャフト３Ｂ，３Ａには、それぞれ、複数の糸支持部３２，３３が周方向において異なる位置に設けられている。糸支持部３２は、軸方向に所定のピッチＰ１で並ぶ複数の溝部３２２を有し、糸支持部３３は、軸方向に所定のピッチＰ２で並ぶ複数の溝部３３２を有する。そして、溝部３２２のピッチＰ１と溝部３３２のピッチＰ２とが互いに異なる。このような構成によれば、ビーズ織物を作製するに際し、溝部３２２，３３２のうち、ビーズＢの長さに応じたピッチを有するいずれか一つを選択して使用することができる。
【００６７】
本実施形態においては、長さが相対的に小さいビーズＢを織る場合、図１６、図１７、図１９を参照して説明したように、相対的に小さいピッチＰ１を有する溝部３２２を上方に臨ませて使用し、織り作業を行う。一方、長さが相対的に大きいビーズＢを織る場合、相対的に大きいピッチＰ２を有する溝部３３２を上方に臨ませて使用し、織り作業を行う。ここで、溝部３２２（３３２）に嵌まる縦糸Ｔ１の間隔は、当該溝部３２２（３３２）のピッチＰ１（Ｐ２）に応じた寸法となるので、溝部３２２，３３２のうちビーズＢの長さに応じたいずれか一つを使用することにより、隣接する縦糸Ｔ１の間にビーズＢを適切に挟むことができる。このことは、安定した織り作業を行うのに適する。
【００６８】
また、互いに異なるピッチＰ１，Ｐ２を有する溝部３２２，３３２は、各糸支持シャフト３Ｂ，３Ａそれぞれに設けられている。そして、これら糸支持シャフト３Ｂ，３Ａが回動可能であるため、各糸支持シャフト３Ｂ，３Ａを適宜回動させることにより、使用する溝部３２２，３３２の切り換えを容易に行うことができる。
【００６９】
各溝部３２２（３３２）は、断面Ｖ字状とされている。このため、図１７に表れているように、複数の溝部３２２の底部にそれぞれ嵌まる縦糸Ｔ１は、左右への移動が防止される。したがって、糸支持シャフト３Ｂ，３Ａに支持されて並ぶ複数の縦糸Ｔ１の間隔は、実質的に均一になる。このことは、安定した織り作業を行ううえで好ましい。
【００７０】
複数の溝部３２２（３３２）を有する糸支持部３２（３３）は、糸支持シャフト３Ｂ，３Ａ略円柱状の外周面３１０から径方向外方に突出している。このような構成によれば、糸支持部３２（３３）を糸支持シャフト３Ｂ，３Ａの上方に臨ませて使用することにより、溝部３２２（３３２）に嵌められる縦糸Ｔ１は、糸支持シャフト３Ｂ，３Ａの外周面３１０への接触が回避され、溝部３２２（３３２）の底部に到達させられる。このことは、安定した織り作業を行ううえで好ましい。
【００７１】
糸支持部３２（３３）には、糸支持シャフト３Ｂ，３Ａの一端側から他端側まで複数の溝部３２２（３３２）と交差するように複数の貫通孔３２３（３３３）が形成されている。このような構成によれば、図１７を参照して説明したように、ビーズ織り作業を行う際に、貫通孔３２３（３３３）にストッパ３９を挿入することができる。縦糸の全長が長いビーズ織物を作製する場合、糸固定シャフト２Ｂを回動させて縦糸Ｔ１を繰り出す際に、糸支持シャフト３Ｂ，３Ａの間において縦糸Ｔ１に弛みが生じうる。そして、糸支持シャフト３Ｂ，３Ａ間において縦糸Ｔ１が浮き上がろうとすることがある。このとき、図１７から理解されるように、貫通孔３２３（３３３）に挿入されたストッパ３９によって縦糸Ｔ１の浮上が防止され、縦糸Ｔ１が溝部３２２（３３２）から抜け出すことはない。このことは、安定した織り作業を行うのに適する。
【００７２】
図１６に示されるように、糸支持シャフト３Ｂ，３Ａには、縦糸Ｔ１を掛け止めるための糸掛け棒３４が着脱可能に設けられる。このような構成によれば、糸支持部３２と糸掛け棒３４とが近接しており、縦糸Ｔ１の全長が短いビーズ織物を作製する場合、糸掛け棒３４に掛け回される糸の長さを短くすることができる。これにより、複数本の縦糸Ｔ１を並列状に支持させる作業を迅速に行うことができ、ビーズ織物を作製する際の作業性がよくなる。また、本実施形態では、複数の糸掛け棒３４が糸支持シャフト３Ｂ，３Ａの軸方向に沿って並んでおり、糸支持シャフト３Ｂ，３Ａに支持される縦糸Ｔ１は、各糸掛け棒３４に対応する複数の領域に分かれている。このことは、糸掛け棒３４に掛け回される糸の長さを短くするうえで好ましい。
【００７３】
糸掛け棒３４は、糸支持部３２，３３どうしが隣接する相互間それぞれに着脱可能に設けることができる。このため、複数の糸支持部３２，３３のうちビーズ織り作業に使用するものに対応させて、糸掛け棒３４を適所に設けることできる。
【００７４】
本実施形態では、糸支持シャフト３Ａ，３Ｂを回動させるための操作手段７を備えている。操作手段７は、図２、図６等を参照して説明したように、糸支持シャフト３Ａ（３Ｂ）とともに回動するねじ軸３５１と、糸支持シャフト３Ａ（３Ｂ）とともに回動する操作部３６と、ねじ軸３５１に噛み合うねじ穴３８１を有する操作部３７とを備える。ねじ軸３５１は、糸支持シャフト３Ａ（３Ｂ）の一端において右後方側板１Ｂ（左前方側板１Ｃ）の外側に突出する。操作部３６は、糸支持シャフト３Ａ（３Ｂ）の他端において左後方側板１Ａ（右前方側板１Ｄ）の外側に設けられる。操作部３７は、糸支持シャフト３Ａ（３Ｂ）の一端において右後方側板１Ｂ（左前方側板１Ｃ）の外側に設けられる。このような構成によれば、糸支持シャフト３Ａ（３Ｂ）が固定された状態からねじ軸３５１を緩める方向に操作部３７を回すと、図１４を参照して説明したように、操作部３６，３７の間隔が広がり、糸支持シャフト３Ａの回動が許容される。ここで、操作部３６を掴んで回動させると、操作部３６とともに糸支持シャフト３Ａ（３Ｂ）が回動する。糸支持シャフト３Ａ（３Ｂ）を回動させる作業は、糸支持シャフト３Ａ（３Ｂ）に触れることなく、操作部３６の回動操作のみによって確実に行うことができる。したがって、本実施形態のビーズ織り機Ａは、糸支持シャフト３Ａ（３Ｂ）を回動させる際の作業性に優れる。
【００７５】
以上、本発明の具体的な実施形態を説明したが、本発明はこれに限定されるものではなく、発明の思想から逸脱しない範囲内で種々な変更が可能である。本発明に係るビーズ織り機の具体的な形状や材質なども、上記実施形態に限定されるものではない。
【００７６】
上記実施形態においては、長さ調節手段５を備えることにより、両前方側板１Ｃ，１Ｄと前後方側板１Ａ，１Ｂとの長さが調節可能である場合について説明したが、長さ調節手段を具備しない構成としてもよい。長さ調節手段を具備しない場合、左前方側板１Ｃ、左後方側板１Ａ、および連結部４Ａからなる連結構造に代えて、前後方向に延びる一連の左側板を設ければよい。また、右前方側板１Ｄ、右後方側板１Ｂ、および連結部４Ｂからなる連結構造に代えて、前後方向に延びる一連の右側板を設ければよい。
【符号の説明】
【００７７】
Ａ        ビーズ織り機
１Ａ      左後方側板
１Ｂ      右後方側板
１Ｃ      左前方側板
１Ｄ      右前方側板
１１，１２    孔
１３      凹溝
１４      溝部
１５      長孔
１６      目印
２Ａ      （第２の）糸固定シャフト
２Ｂ      （第１の）糸固定シャフト
２１１，２１２    回動軸
２１３    シャフト端部
２１４    軸孔
２５      軸部材
２５１    ねじ軸
２５２    軸部材端部
２６      操作部
２６１，２６２    凹部
２７      操作部
２７１    凹部
３Ａ      （第２の）糸支持シャフト
３Ｂ      （第１の）糸支持シャフト
３１０    外周面
３１１，３１２    回動軸
３１３    シャフト端部
３１４    軸孔
３２      糸支持部
３２１    凸部
３２２    溝部
３２３    貫通孔
３２４    目盛
３３      糸支持部
３３１    凸部
３３２    溝部
３３３    貫通孔
３３４    目盛
３４      糸掛け棒
３４１    取付穴
３５      軸部材
３５１    ねじ軸
３５２    軸部材端部
３６      （第１）操作部
３６１，３６２    凹部
３７      （第２）操作部
３７１    凹部
４Ａ      連結部
４Ｂ      連結部
４１１    突起部
４１２    ねじ孔
４１３    孔
４１４    標線
４３      締付ボルト
５        長さ調節手段
６        操作手段
７        操作手段
【図１】
2014118646.tif 000003
【図２】
2014118646.tif 000004
【図３】
2014118646.tif 000005
【図４】
2014118646.tif 000006
【図５】
2014118646.tif 000007
【図６】
2014118646.tif 000008
【図７】
2014118646.tif 000009
【図８】
2014118646.tif 000010
【図９】
2014118646.tif 000011
【図１０】
2014118646.tif 000012
【図１１】
2014118646.tif 000013
【図１２】
2014118646.tif 000014
【図１３】
2014118646.tif 000015
【図１４】
2014118646.tif 000016
【図１５】
2014118646.tif 000017
【図１６】
2014118646.tif 000018
【図１７】
2014118646.tif 000019
【図１８】
2014118646.tif 000020
【図１９】
2014118646.tif 000021
【図２０】
2014118646.tif 000022